(57)【特許請求の範囲】
【請求項１】
横引き式のスクリーン装置におけるスクリーンの一端側を保持する固定框を、建物開口部の縦枠に対して着脱自在に取付けるための取付機構であって、
第１係合部と固定部とを有していて、該固定部において上記縦枠又は上記固定框の一方に固定された第１係止部材；上記第１係合部に係脱する第２係合部と操作部とを備えた可動部材を有していて、上記縦枠又は上記固定框の他方に取付けられた第２係止部材；を備えており、
上記第１及び第２係止部材が上記縦枠及び固定框における相対する位置にそれぞれ配設されていて、上記第２係止部材における可動部材の操作部が、該縦枠と固定框の間から側方の固定框の側壁外面上に手操作によって上下方向にスライド可能に配置され、
該操作部を操作することにより、可動部材を、その第２係合部を上記第１係合部に係合させて固定框を縦枠に係止する下側の第１位置と、上記第２係合部と第１係合部との係合を解除して上記固定框の係止を解除する上側の第２位置とに切り換え可能に構成されている、
ことを特徴とする横引き式スクリーン装置における固定框の取付機構。
【請求項２】
請求項１に記載された横引き式スクリーン装置における固定框の取付機構であって、
固定框の上記縦枠と相対する底壁の両端縁に、相互に平行する一対の突出部を一体に備え、上記第２係止部材が、上記可動部材から突出する操作部を除いて上記突出部間に収容され、上記操作部を、上記突出部に設けた切欠きを通じて固定框の側壁の外部に突出させているもの。
【請求項３】
請求項１または２に記載された横引き式スクリーン装置における固定框の取付機構であって、
上記第２係止部材が、その可動部材を上記第２位置において係脱自在に係止するための係止手段を備えているもの。
【請求項４】
請求項３に記載された横引き式スクリーン装置における固定框の取付機構であって、
上記第１係止部材の第１係合部によって、上方に向けて開口する係合凹部が形成され、
上記第２係止部材における上記可動部材の第２係合部が、下方に向けて伸びる舌片によって形成されており、
上記第１位置において、該舌片が上記係合凹部に差し込まれることにより、第１係合部と第２係合部とが係合するように構成されているもの。
【請求項５】
請求項４に記載された横引き式スクリーン装置における固定框の取付機構であって、
上記第１係止部材が、上記縦枠上に固定され、
上記第２係止部材が、上記固定框の底壁における該縦枠との対向面上に固定された固定部材と、板状に形成されていて、該固定部材により上記底壁の対向面上でスライド可能に保持された上記可動部材とから構成されており、
さらに、上記可動部材には上下方向の長穴が穿設されていて、該長穴の長さよりも短尺に形成された上記固定部材が該長穴に嵌め込まれており、該可動部材の下端に上記舌片が形成されているもの。
【請求項６】
請求項５に記載された横引き式スクリーン装置における固定框の取付機構であって、
上記固定部材の外周には、鍔状の第１段部が形成されていて、
上記可動部材における長穴の内周には、上記第１段部と摺動自在に互いに噛み合う第２段部が形成されており、
上記係止手段が、上記各段部にそれぞれ形成され自在に係脱可能な凹部と凸部とによって構成されているもの。
【請求項７】
請求項１乃至請求項６のいずれかに記載された横引き式スクリーン装置における固定框の取付機構であって、
上記固定框が、該固定框を取付ける上記縦枠の取付面の長さよりも短尺に形成されていて、上記取付機構が、縦枠に取付けられた固定框の上動を阻止するストッパ手段を備えており、
該ストッパ手段が、上記縦枠の取付面上に設けられた第１部材と、上記固定框の底壁における該取付面との対向面上に設けられた第２部材とにより構成されていて、これら第１部材と第２部材との係合により、縦枠に対する固定框の上動を阻止するもの。
【請求項８】
請求項７に記載された横引き式スクリーン装置における固定框の取付機構であって、
上記第１部材には下向きの第１当接部が形成され、上記第２部材には上向きの第２当接部が形成されており、
上記第２当接部の上記第１当接部に対する下方からの当接により、縦枠に対する固定框の上動を阻止するもの。
【請求項９】
請求項８に記載された横引き式スクリーン装置における固定框の取付機構であって、
上記第１部材が、上記縦枠の取付面上に固定された第１係止部材の固定部から下方に向けて一体に立ち上げられた突起部から成っていて、該突起部の下端面が上記第１当接部を形成し、
上記第２部材が、上記固定框の対向面から下方に延びるように立ち上げられた段状部から成っていて、該段状部における上記対向面から起立する上向きの端面が上記第２当接部を形成しているもの。
【請求項１０】
請求項９に記載された横引き式スクリーン装置における固定框の取付機構であって、
上記第１係止部材が、その下端を上記建物開口部の下横枠上に当接させて、上記縦枠に固定されているもの。
【請求項１１】
請求項７乃至請求項１０のいずれかに記載された横引き式スクリーン装置における固定框の取付機構であって、
上記固定框が、長尺の框本体と、該框本体の下端に固定された端部キャップとを有していて、上記第２部材が、該端部キャップと一体に形成されているもの。
【発明の詳細な説明】
【技術分野】
【０００１】
本発明は、横引き式のスクリーン装置を建物開口部に装着するにあたって、その固定框を建物開口部の縦枠に取付けるための取付機構に関するものである。
【背景技術】
【０００２】
従来、横引き式のスクリーン装置を建物開口部に装着するにあたっては、スクリーンの一端側を保持する固定框を、そのスクリーン側内部から建物開口部の縦枠に対して直接ネジ止めしたり、あるいは、縦枠及び固定枠の各形状を、相互に嵌合可能な形状とし、それらの嵌め合いによって強固に固定するのが一般的であった。
しかしながら、このような従来の横引き式スクリーン装置における固定框の取付け形態では、該固定框の着脱作業に比較的高度な専門知識と技術が要求され、特に前者の場合、固定框のスクリーン側内部からネジを操作するのに、一旦スクリーンやワイヤーを該固定框から取外したりするなど、煩雑かつ高度な作業が必要とされるため、末端のユーザーによる作業性が必ずしも十分に考慮されているとはいえなかった。
一方で、近年、ユーザーが自ら作業を行って網戸等のスクリーン装置を建物開口部に自由に装着し、あるい取外しを行いたいという要請が高まってきており、その要請に応えるためにも、スクリーン装置を開口部に対して比較的簡単に着脱することができる手段が望まれている。
【発明の開示】
【発明が解決しようとする課題】
【０００３】
本発明の技術的課題は、特に専門的な知識や技術を有しない末端のユーザーであっても、横引き式のスクリーン装置を建物開口部に対して着脱する際に、その固定框を該建物開口部の縦枠に対して簡単に係脱させることができて、作業性に優れた横引き式スクリーン装置における固定框の取付機構を提供することにある。
【課題を解決するための手段】
【０００４】
上記課題を解決するため、本発明に係る横引き式スクリーン装置における固定框の取付機構は、横引き式のスクリーン装置におけるスクリーンの一端側を保持する固定框を、建物開口部の縦枠に対して着脱自在に取付けるための取付機構であって、第１係合部と固定部とを有していて、該固定部において上記縦枠又は上記固定框の一方に固定された第１係止部材；上記第１係合部に係脱する第２係合部と操作部とを備えた可動部材を有していて、上記縦枠又は上記固定框の他方に取付けられた第２係止部材；を備えており、上記第１及び第２係止部材が上記縦枠及び固定框における相対する位置にそれぞれ配設されていて、上記第２係止部材における可動部材の操作部が、該縦枠と固定框の間から側方の固定框の側壁外面上に手操作によって上下方向にスライド可能に配置され、該操作部を操作することにより、可動部材を、その第２係合部を上記第１係合部に係合させて固定框を縦枠に係止する下側の第１位置と、上記第２係合部と第１係合部との係合を解除して上記固定框の係止を解除する上側の第２位置とに切り換え可能に構成されていることを特徴とするものである。
【０００５】
このような構成を備えた本発明に係る固定框の取付機構によれば、上記第２係止部材における可動部材の操作部が、上記固定框の側壁外面上に配置されているため、スクリーン等を固定框から取外すことなく、単に固定框の側壁外面上で上記操作部を操作して可動部材の位置を切り換えることにより、該固定框を建物開口部の縦枠に対して係脱させることができ、上記スクリーン装置を、組み立てられたユニット状態で建物開口部に対して簡単に着脱することが可能となる。
また、本発明の好ましい実施形態においては、固定框の上記縦枠と相対する底壁の両端縁に、相互に平行する一対の突出部を一体に備え、上記第２係止部材が、上記可動部材から突出する操作部を除いて上記突出部間に収容され、上記操作部を、上記突出部に設けた切欠きを通じて固定框の側壁の外部に突出させている。このとき、上記第２係止部材が、その可動部材を上記第２位置において係脱自在に係止するための係止手段を備えていると、特に当該取付機構が固定框に複数設けられている場合に、該固定框の上記縦枠に対する係脱作業がより容易となる。
【０００６】
さらに具体的には、本発明に係る固定框の取付機構においては、上記第１係止部材の第１係合部によって、上方に向けて開口する係合凹部が形成され、上記第２係止部材における上記可動部材の第２係合部が、下方に向けて伸びる舌片によって形成されており、上記第１位置において、該舌片が上記係合凹部に差し込まれることにより、第１係合部と第２係合部とが係合するように構成されている。そして、上記第１係止部材が、上記縦枠上に固定され、上記第２係止部材が、上記固定框の底壁における該縦枠との対向面上に固定された固定部材と、板状に形成されていて、該固定部材により上記底壁の対向面上でスライド可能に保持された上記可動部材とから構成されており、さらに、上記可動部材には上下方向の長穴が穿設されていて、該長穴の長さよりも短尺に形成された上記固定部材が該長穴に嵌め込まれており、該可動部材の下端に上記舌片が形成されている。このとき、上記固定部材の外周には、鍔状の第１段部が形成されていて、上記可動部材における長穴の内周には、上記第１段部と摺動自在に互いに噛み合う第２段部が形成されており、上記係止手段が、上記各段部にそれぞれ形成され自在に係脱可能な凹部と凸部とによって構成されていても良い。
【０００７】
また、本発明のさらに好ましい実施形態においては、上記固定框が、該固定框を取付ける上記縦枠の取付面の長さよりも短尺に形成されていて、上記取付機構が、縦枠に取付けられた固定框の上動を阻止するストッパ手段を備えており、該ストッパ手段が、上記縦枠の取付面上に設けられた第１部材と、上記固定框の底壁における該取付面との対向面上に設けられた第２部材とにより構成されていて、これら第１部材と第２部材との係合により、縦枠に対する固定框の上動を阻止するものとしている。これにより、例えば可動部材のの操作部を操作した場合等、固定框に上向きの力が作用した際に該固定框が上動して第１係止部材と第２係止部材との係合が不意に解かれることが防止され、作業性が一層向上する。
【０００８】
さらに具体的に、本発明の固定框の取付機構においては、上記第１部材には下向きの第１当接部が形成され、上記第２部材には上向きの第２当接部が形成されており、上記第２当接部の上記第１当接部に対する下方からの当接により、縦枠に対する固定框の上動を阻止する。この場合、上記第１部材が、上記縦枠の取付面上に固定された第１係止部材の固定部から下方に向けて一体に立ち上げられた突起部から成っていて、該突起部の下端面が上記第１当接部を形成し、上記第２部材が、上記固定框の対向面から下方に延びるように立ち上げられた段状部から成っていて、該段状部における上記対向面から起立する上向きの端面が上記第２当接部を形成することが好ましい。
また、上記第１係止部材が、その下端を上記建物開口部の下横枠上に当接させて、上記縦枠に固定されていても良く、さらに、上記固定框が、長尺の框本体と、該框本体の下端に固定された端部キャップとを有していて、上記第２部材が、該端部キャップと一体に形成されていても良い。
【０００９】
上記構成を有する横引き式スクリーン装置における固定框の取付機構によれば、まず、第２係止部材の可動部材を第２位置に切り換えた状態で、スクリーン装置の固定框を建物開口部の縦枠に沿わせて設置し、次いで、上記可動部材の操作部を操作して、該可動部材を上記第２位置から第１位置へと切り換え、該可動部材の第２係合部を第１係止部材の第１係合部に対して係合させることにより、上記固定框が上記縦枠に係止されて取付けられる。一方、その逆の操作を行うことにより、上記第１係合部と第２係合部との係合を解除して、上記固定框を上記縦枠から取外すことができる。
【発明の効果】
【００１０】
このように、本発明に係る横引き式スクリーン装置における固定框の取付機構によれば、第２係止部材の可動部材を、固定框の側壁外面上に配設された操作部を操作して、該可動部材の第２係合部が第１係止部材の第１係合部と係合する第１位置と、両者の係合が解除される第２位置との間で切り換えることにより、スクリーン装置の固定框を、建物開口部の縦枠に対して係止させて取付けたり、あるいはその係止を解除して該縦枠から取外したりすることができる。したがって、専門的な技術や知識を特に有しない末端のユーザーであっても、簡単な操作により上記固定框を上記縦枠に対して着脱することができ、結果として、上記スクリーン装置を容易に建物開口部に装着したり、あるいは該開口部から取外したりすることが可能となる。
【発明を実施するための最良の形態】
【００１１】
図１乃至図６は、本発明に係る横引き式スクリーン装置における固定框の取付機構の第１実施例を示すもので、横引き式スクリーン装置１は、防虫網等から成るプリーツ状のスクリーン２と、該スクリーン２における左右の一端を保持して、建物開口枠の縦枠４に固定される固定框３と、スクリーン２における左右の他端を保持して、上記建物開口枠内で左右方向にスライド自在に支持される可動框３０と、該可動框３０によるスクリーン装置の閉操作及び開操作に伴って上記固定框３及び／又は可動框３０の内部から出没し、拡張されたスクリーン２の上下端縁をそれぞれ案内する長尺で湾曲可能な一対のガイド部材３１，３２とによって構成されている。そして、該スクリーン装置１の上端は、建物開口枠の上横枠上に固定された下方に開口するガイド枠３３によって案内され、その下端は、建物開口枠の下横枠上に固定されたガイドレール３４によって案内されるようになっている。
【００１２】
上記固定框３は、取付機構により上記建物開口枠の縦枠４に対して着脱自在に取付け可能となっている。
該取付機構は、上記縦枠４に取付けられた第１係止部材５と、上記固定框３に取付けられて、該第１係止部材５と自在に係脱可能な第２係止部材６とを備えている。そして、これら第１及び第２係止部材５，６は、縦枠４及び固定框３における相対する位置にそれぞれ配設されていて、この実施例の場合、上段側及び下段側の計２組配設されている。したがって、両組の第２係止部材６と第１係止部材５との係合、離脱をそれぞれ行うことにより、固定框３の縦枠４への取付けあるいは取外しが可能となっている。
【００１３】
上記第１係止部材５は、上記縦枠４における上記固定框３と相対する面（取付面）上に固定されたもので、図３及び図５、図６に示すように、上記縦枠４に固定される固定部５１と、該固定部５１の上端側に設けられ、上記第２係止部材６との係合に供する第１係合部５２とを一体に有している。
上記固定部５１は、上記縦枠４の取付面に沿った板状に形成されたもので、その中央の上下２カ所に穿設された固定用孔５１ａ，５１ａを通じ、固定ねじ７，７によって縦枠４に固定されている。
そして、上記第１係合部５２は、上記固定部５１上端から段状に立ち上がって縦枠４の軸方向上向きに延びるフック状に形成されたもので、この係合部５２と縦枠４との間に、上方に向けて開口していて、後述する第２係止部材６の第２係合部６３が差し込まれる係合凹部５３が形成されている。
【００１４】
上記第２係止部材６は、上記固定框３の底壁３ｂにおける上記縦枠４と相対する面（対向面）上に取付けられたもので、固定框３の底壁３ｂ上に上下方向に直線的に往復スライド可能に取付けられた可動部材６１と、上記固定框３の底壁３ｂ上に固定されていて、上記可動部材６１を該固定框３の底壁３ｂ上で往復スライド可能に保持する固定部材６２とを備えている。
この実施例においては、図３に示すように、上記固定框３が、その底壁３ｂの上下方向に伸びる両端縁に、相互に平行を成す一対の突出部３ａ，３ａを一体に備えており、これら突出部３ａ，３ａと底壁３ｂとで囲まれて、上記縦枠４に向かって開口する略コ字状の空間が形成されている。そのため、図５及び図６に示すように、この第２係止部材６は、後述する操作部６４を除き当該空間内にほぼ収容された状態で、固定框３に取付けられている。
なお、上記突出部３ａ，３ａは、底壁３ｂの上記両端縁からその両面側へ向けて略直角且つ一体に立設された一対の側壁３ｃ，３ｃの一部として形成されている。すなわち、これら一対の側壁３ｃ，３ｃは、それぞれ上記底壁３ｂを挟んだスクリーン装置１の前面側及び後面側に、略平行に対向配置されている。そして、該固定框３のスクリーン２側にも略コ字状に開口する空間が形成されており、該空間内において、上記スクリーン２の一端が該固定框３に対して固定的に保持されている。
【００１５】
上記可動部材６１は、全体的に固定框３の底壁３ｂと略平行をなす板状に形成されていて、その下端に、上記第１係止部材５の第１係合部５２と係合する第２係合部６３を一体に有していると共に、その両側端に、固定框３の上記一対の側壁３ｃ，３ｃ（具体的には上記一対の突出部３ａ，３ａ）を貫通して、それらの外面側にそれぞれ突出配置される一対の操作部６４，６４を一体に有している。
また、この可動部材６１の中央部には、上記固定部材６２が嵌め込まれて収容される長穴６５が穿設されている。
そして、上記固定框３と縦枠４との係脱は、この可動部材６１を上記操作部６４，６４によって操作し、該可動部材６１を、固定框３を縦枠４に係止させる第１位置と、固定框３の縦枠４への係止を解除する第２位置とに切り換えることにより行われる構成となっている。
【００１６】
上記第２係合部６３は、可動部材６１の下端において下方に向けて伸びる舌片により形成されていて、その固定框３側の面に段状部６３ａが設けられており、固定框３との間に上記第１係合部５２を挿入することができる程度の隙間が形成されている。
この第２係合部６３は、上記固定框３を縦枠４に係止する際、上記可動部材６１を下方にスライドさせることにより上記係合凹部５３内に挿入されるもので、そうすることによって、この第２係合部６３と上記第１係合部５２とが相互に係合するようになっている。したがって、この第２係合部６３が上記係合凹部５３に差し込まれる位置、すなわち、可動部材６１の下方側のスライド端が上記第１位置（図６参照）、反対に第２係合部６３が係合凹部５３から引き抜かれる位置、すなわち、可動部材６１の上方側のスライド端が上記第２位置となっている（図５参照）。
【００１７】
ここで、この実施例では、図６に示すように、板状に形成された第２係合部６３の幅が、上記突出部３ａ，３ａと底壁３ｂとにより形成された略コ字状の空間の幅とほぼ等しくなっていて、しかも、該第２係合部６３の厚さ方向の少なくとも一部が該空間内に収容されている。そのため、第２係合部６３を第１係合部５２に係合させた際に、該突出部３ａ，３ａが、固定框３の上記側壁３ｃ，３ｃ方向すなわちスクリーン装置１の前・後面方向への移動を規制する規制手段として機能する。また、上記第２係合部６３における固定框３側の面の先端付近には、隆起部６３ｂが設けられていて、該第２係合部６３が上記第１係合部５２と摩擦的に接触できるようになっている。なお、可動部材６１及び固定部材６２は上下、左右それぞれ対称に形成されているため、可動部材６１の上端部も、この第２係合部６３の形状と同様の形状に形成されている。
【００１８】
この実施例においては、図３、図５及び図６に示すように、固定框３の上記突出部３ａ，３ａに、上記可動部材６１の配設位置に合わせて切欠き３ｄ，３ｄが開設され、その一方で、該可動部材６１には、上記突出部３ａ，３ａの位置及び切欠き３ｄ，３ｄの長さ、可動部材６１のスライド長に適応した溝６６が上下左右の４カ所に設けられている。そして、上記突出部３ａ，３ａの切欠き３ｄ，３ｄ側の各端部を上記可動部材６１の各溝６６内にそれぞれ位置させると同時に、該溝６６によって区画された可動部材６１の左右両端部を上記切欠き３ｄ，３ｄを通じて固定框３の前後側壁３ｃ，３ｃの外部に突出させ、それによって上下に長い角柱状にあらわれたこの突出部分を上記操作部６４，６４としている。そのため、該操作部６４，６４は、常時、固定框３の側壁３ｃ，３ｃ側の外部に露出していて、第１及び第２係合部５２，６３の係脱に際し、スクリーン２等を固定框３から取外したり工具等を用いたりすること無く、上記可動部材６１を、スクリーン装置１の前又は後面側から手操作によって、上下方向にスライドさせることができるようになっている。
【００１９】
上記長穴６５は、上記可動部材６１の板面中央に上下方向に長く、円弧部と直線部とを組み合わせたトラック状に形成されたものであり、その内周における固定框３側の周縁全体に、内側に向けて張り出した第２段部６５ａが一体に形成されている。
一方、上記固定部材６２は、上記長穴６５の縦方向長さよりも短尺で、長穴６５の横幅とほぼ同じ横幅を有する同じくトラック状に形成されたもので、上記固定框３に固定される固定基部６７と、外固定基部６７における固定框３とは反対側（縦枠４側）の外周縁全体から、外側に向けて鍔状に突設された第１段部６８とを一体に有している。上記固定基部６７は、その中央２カ所に穿設された固定用孔６７ａ，６７ａを有しており、該固定用孔６７ａ，６７ａを通じて固定ねじ８，８によって上記固定框３の底壁３ｂ上に固定されている。
【００２０】
そして、上記固定部材６２を、上記可動部材６１の長穴６５に嵌め込んで固定框３の底壁３ｂ上に固定することにより、固定部材６２の外周に設けられた第１段部６８と可動部材６１の内周に設けられた第２段部６５ａとが摺動自在に噛み合うようになっている。すなわち、上記可動部材６１の第２段部６５ａが、上記固定部材６２の第１段部６８と固定框３の底壁３ｂとの間に摺動自在に挟持されて、可動部材６１が該底壁３ｂ上で上下方向に往復スライド自在に保持されている。
【００２１】
さらに、上記第２係止部材６は、上記可動部材６１を上記第２位置において係脱自在に係止するための係止手段を備えている。具体的に、この係止手段は、図４に示すように、固定部材６２の第１段部６８と可動部材６１の第２段部６５ａとの摺動自在に当接する各係合面上において、第１段部６８の最も下方に位置する部位に設けられた凸部９と、第２段部６５ａの最も下方に位置する部位に設けられた凹部１０とで構成されている。
そして、この係止手段によれば、可動部材６１を、その上方のスライド端である第２位置に移動させた際に、凹部１０が凸部９に係合されるため、可動部材６１がその自重に関わらず第２位置に係止されることとなる。したがって、例えば、この実施例のように、上記第１及び第２係止部材５，６が、縦枠４と固定框３との間に複数組配設されている場合であっても、各第２係止部材６の可動部材６１を係止解除位置である上記第２位置に確実且つ簡単に係止できるため、縦枠４に対する固定框３の取付け、取外し作業が行い易いという利点がある。
なお、この実施例では、下方へのスライド端にも上述の係止手段と同様の係止手段が設けられていて、可動部材６１が上記第１位置においても固定部材６２に係止されるように構成されている。そのため、可動部材６１に多少の外力が作用しても、該可動部材６１が不用意に第１位置から離脱するのを防止することができる。
【００２２】
上記構成を有する横引き式装置における固定框３の取付機構によれば、まず、各第２係止部材６の可動部材６１の操作部６４を押し上げて、これら可動部材６１を第２位置に切り換え係止させた状態で、スクリーン装置１の固定框３を建物開口部の縦枠４に沿わせて設置し、次いで、固定框３の側壁３ｃ，３ｃから外部に突出した上記各可動部材６１の操作部６４をそれぞれ押し下げて、これら可動部材６１を上記第２位置から第１位置へと切り換え、各可動部材６１の第２係合部６３を各第１係止部材５の第１係合部５２に対してそれぞれ係合させることにより、上記固定框３が上記縦枠４に係止されて取付けられる。一方、その逆の操作を行うことにより、各第１係合部５２と第２係合部６３との係合が解除されて、上記固定框３を上記縦枠４から取外すことができる。
したがって、専門的な技術や知識を特に有しない末端のユーザーであっても、スクリーン２等を固定框３から取外したり工具等を用いたりすること無く、単に、固定框３の側壁３ｃ，３ｃから外部に突出した上記可動部材６１の操作部６４を手動操作して、該可動部材６１を第１位置または第２位置に切り替えるという極めて簡単な操作により、固定框３を上記縦枠４に対して容易に着脱させることができ、結果として、スクリーン装置１を建物開口部に対して容易に装着し、あるいは取外すことが可能となる。
【００２３】
上記第１実施例の取付機構は、折りたたみ式、巻取式等、スクリーン２の一端を保持する框部材を建物開口部の縦枠４に固定的に取付けるように構成されたスクリーン装置１であれば任意のものに適用することができ、よって、上記固定框３は、例えば、巻取り式スクリーン装置の巻取ボックス等であっても良い。
【００２４】
上記第１実施例では、第１係止部材５を縦枠４に、第２係止部材６を固定框３に配置した構成としているが、逆に、第１係止部材５を固定框３に、第２係止部材６を縦枠４に配置した構成としてもよい。
また、上記実施例では、第２係止部材６を固定框３の下方向にスライド移動させることにより第１係止部材５に係止する例を示しているが、第１係止部材５を第２係止部材６よりも上方側に配置し、第１係止部材５をその第１係合部５２が下方に向くように設置して係合凹部５３を下方に向けて開口させると共に、第２係止部材６をその第２係合部６３が可動部材６１の上端に配置されるように設置して、該可動部材６１を上方にスライド移動させることにより第２係合部６３と第１係合部５２とが係合する構成としてもよい。あるいは、上述のような可動部材６１のスライド方向が上下方向ではなく、可動部材６１を固定框３の側壁３ｃと直交する方向（前後方向）にスライド移動させることにより、該第２係合部６３と第１係合部５２とを係脱させる構成であってもよい。
なお、前者の場合、第２係止部材６を第１位置に確実に係止させる係止手段を設けること、後者の場合は適当な操作部を設けることがそれぞれ肝要となる。
【００２５】
さらに、上記実施例では、上記操作部６４は柱状にあらわれた形状となっているが、この操作部の形状は操作の妨げにならなければどのような形状であってもよい。
また、上記実施例では、可動部材６１を上記第２位置において係脱自在に係止するための係止手段を、可動部材６１に設けた凹部１０と固定部材６２に設けた凸部９とで構成しているが、逆に、可動部材６１に凸部９を、固定部材６２に凹部１０を設けた構成であってもよい。さらに、この係止手段は、凸部９と凹部１０とが係合する構成以外であっても、可動部材６１を第２位置に係脱自在に係止できる構成であれば任意の手段を用いることができる。
【００２６】
図７乃至９は、本発明に係るの横引き式スクリーン装置における固定框の取付機構の第２実施例を示している。本第２実施例に係る固定框３の取付機構は、例えば可動部材６１の操作時等、固定框３に上向きの力が作用した際に、縦枠４の取付面の長さ（すなわち、建物開口部の開口高さ）よりも短尺に形成された固定框３が該縦枠４に対して不意に上動するのを防止するためのストッパ手段１１を備えている点において、上記第１実施例と異なっている。
なお、本第２実施例における上記第１実施例と共通する構成部分及びそれに伴う作用効果については、説明の重複を避けるため、図面に同じ符号を付して説明を省略する。
【００２７】
本第２実施例に係る固定框３の取付機構は、第１実施例と同様に第１係止部材及び第２係止部材が複数組配設されていて、このうちの少なくとも最下段に位置する組が上記ストッパ手段１１を備えている。
該ストッパ手段１１は、上記縦枠４の取付面上に設けられた第１部材１２と、上記固定框３の底壁３ｂにおける該取付面との対向面上に設けられた第２部材１３とにより構成されていて、第２部材１３の第１部材１２に対する下方からの係合により、固定框３が縦枠４に対して上動するのを阻止することができるようになっている。
【００２８】
上記第１部材１２は、上記縦枠４の取付面上に固定された第１係止部材５’の平板状の固定部５１’に一体に形成されたもので、該固定部５１’から下方に向けて立ち上げられた突起部から成っており、該突起部の下向きの先端が上記第２部材１３と係合する第１当接部１４を形成している。
具体的には、この第１部材１２は、下方に行くに従って固定部５１’から離れるように固定框３側に傾斜する傾斜部１２ａと、該傾斜部１２ａの先端に鉛直下方向きに延設された鉛直部１２ｂとで構成されている。これら傾斜部１２ａと鉛直部１２ｂとは、平板状の固定部５１’から一体に切り起こすことにより成形されていて、基端側に傾斜部１２ａが、先端側に鉛直部１２ｂがそれぞれ位置している。上記傾斜部１２ａは、上記鉛直部１２ｂを第１係止部材５’の第１係合部５２’と略同一平面上に位置させる程度にまで延設されており、また、上記鉛直部１２ｂは、その下向きの先端面が、後述する第２部材１３の第２当接部１５に当接させるための上記第１当接部１４を形成している。なお、上記固定部５１’における傾斜部１２ａ及び鉛直部１２ｂを切り起こした部分には、結果として略矩形状の穴５４が形成されている。
【００２９】
この実施例においては、図７（ｂ），図８（ｂ），図９（ｂ）に示すように、上記第１係止部材５’が、その下端、すなわち固定部５１’の下端を上記建物開口部の下横枠３５上に当接させた状態で上記縦枠４に固定されている。これにより、第１係止部材５’を下横枠３５を基準面として縦枠４に固定することができるため、第１係止部材５’の位置決めをきわめて容易に行うことができ、しかも、ストッパ手段１１における第１当接部１４と後述する第２当接部１５との相対的な位置合わせを簡単且つ精度良く行うことが可能となる。
なお、上記第１係合部材５’の縦枠４に対する固定は、固定部５１’における第１係合部５２’と第１部材１２との間に穿設された軸向（上下方向）に長い固定用長孔５１ａ’を通じて、固定ねじ７’により行われる。そして、この固定用長孔５１ａ’により、第１係合部材５’の縦枠４に対する固定高さを微調整することが可能となっている。
【００３０】
一方、上記第２部材１３は、上記固定框３における縦枠４との対向面の略中央に凸設された段状部から成っていて、その横幅が固定框３の約半分程度に形成されている。そして、該段状部における上記対向面から起立する上向きの端面すなわち上端面が、固定框３を縦枠４上に取付けた際に上記第１当接部１４と対向配置される第２当接部１５を形成していて、固定框３に上向きの力が作用した時に、該第２当接部１５の第１当接部１４に対する当接により、該固定框３が縦枠４に対して上動するのを阻止することができるようになっている。
【００３１】
この第２部材１３は、第２当接部１５を形成する上端面が上記第１当接部１４と確実且つ安定的に当接することができるように、該第１当接部１４より幅広で、第１当接部１４と同程度の厚みを備えた態様となっている。そして、該第２当接部１５は、第１当接部１４とほぼ同じか、或いはそれよりも僅かに低い高さに位置するような状態で固定框３上に配設されている。このとき、後者のように、固定框３を縦枠４上に取付けた状態において、第１当接部１４と第２当接部１５との間に僅かな間隙が形成されるようになっていると、縦枠４に対する固定框３の着脱が容易となるため望ましい。
なお、上述した第１係止部材５’及び第２部材１３は、互いにほぼ同程度の一定幅に形成されており、また、上記第１部材１２は、第２部材１３の約半分程度の略一定幅に形成されている。
【００３２】
この実施例においては、図７（ｂ），図８（ｂ），図９（ｂ）からわかるように、上記固定框３が、長尺の框本体３６下端に固定された端部キャップ３７を有していて、上記第２部材１３はこの端部キャップ３７と一体に形成されている。
この第２部材１３は、端部キャップ３７下端から上方に向けて設けられていて、その上端側の一部が端部キャップ３７の上端から突出している。そして、その突出部分が、上記框本体３６の底壁３ｂ上に重畳されていて、その上端近傍で固定ネジ１６により該框本体３６に固定されている。したがって、この実施例の第２部材１３は、本来のストッパ手段１１としての機能の他に、端部キャップ３７を框本体３６に対して固定するための手段としても機能している。
【００３３】
上記構成を有する固定框３の取付機構は、まず図７に示すように、第２係止部材６の可動部材６１の操作部６４を押し上げて、該可動部材６１を第２位置に切り換え係止させ、図８に示すように、スクリーン装置１の固定框３を、ストッパ手段１１の第１部材１２の第１当接部１４と第２部材１３の第２当接部１５とを相互に当接、或いは僅かな空隙を介して対向配置させた状態で、縦枠４に沿わせて設置する。なお、このとき、第２部材１３の固定ねじ１６のねじ頭１６ａは、第１係合部材５’における固定部５１’の穴５４内に収容される。
そして、図９に示すように、上記可動部材６１の操作部６４をそれぞれ押し下げて、可動部材６１を上記第２位置から第１位置へと切り換えることにより、上記固定框３が上記縦枠４に対して係止状態で取付けられる。なお、このとき、上記第１当接部１４と第２当接部１５とは、引き続き、相互に当接、あるいは僅かな空隙を介して対向配置された状態に保持されている。
【００３４】
これにより、上記第１実施例と同等の効果を得ることできる上、例えば可動部材６１の操作時等、固定框３に上向きの力が作用した際に、第２当接部１５の第１当接部１４に対する当接により、固定框３が縦枠４に対して不意に上動するのを確実に阻止することができる。したがって、例えば、第１係止部材５’の第１係合部５２’と可動部材６１の第２係合部６３との係合を解除して縦枠４から固定框３を取外すにあたっても、可動部材６１を固定框３の框本体３６に対して確実に上方スライドさせることができ、これら解除操作及び取外し操作をスムーズに行うことが可能となる。
【００３５】
上記第２実施例では、第１係止部材５’とストッパ手段１１の第１部材１２とを一体に形成しているが、これらを別体のものとして構成してもよい。また、第２部材１３についても、必ずしも端部キャップ一体に形成する必要はなく、例えば、縦長の板体状のものを固定框３の底壁３ｂ上に別に取付けるなど、別体のものとして構成してもよい。さらに、ストッパ手段１１自体は、第１及び第２係合部材５’，６の係合の妨げにならなければどこに設けても良い。
【００３６】
さらに、このストッパ手段１１は、本第２実施例のものに限られることなく、縦枠４に設けられた第１部材と固定框３に設けられた第２部材とが係合して固定框３の上動を防止できるものであれば、任意の構成を採用することが可能である。
【図面の簡単な説明】
【００３７】
【図１】本発明の横引き式スクリーン装置における固定框の取付機構の第１実施例を示す正面図である。
【図２】建物開口部の縦枠から固定框を取外した状態を示す正面図である。
【図３】本発明に係る固定框の取付機構の分解斜視図である。ただし、縦枠は省略している。
【図４】本発明の第２係止部材の拡大側断面図である。
【図５】第２係止部材が第２位置にある状態を示す（ａ）斜視図、（ｂ）要部側断面図である。ただし、（ａ）においては、縦枠は省略している。
【図６】同第２係止部材が第１位置にある状態を示す（ａ）斜視図、（ｂ）要部側断面図である。ただし、（ａ）においては、縦枠は省略している。
【図７】本発明の第２実施例の固定框を縦枠に取付ける前の状態を示す（ａ）要部斜視図、（ｂ）要部側断面図である。ただし、（ａ）においては、縦枠及び固定ねじは省略している。
【図８】同第２係止部材が第２位置にある状態を示す（ａ）要部斜視図、（ｂ）要部側断面図である。ただし、（ａ）においては、縦枠及び固定ねじは省略している。
【図９】同第２係止部材が第１位置にある状態を示す（ａ）要部斜視図、（ｂ）要部側断面図である。ただし、（ａ）においては、縦枠及び固定ねじは省略している。
【符号の説明】
【００３８】
１  横引き式スクリーン装置
２  スクリーン
３  固定框
３ｃ  側壁
４  縦枠
５，５’  第１係止部材
６  第２係止部材
９  凸部
１０  凹部
１１  ストッパ手段
１２  第１部材
１３  第２部材
１４  第１当接部
１５  第２当接部
３５  下横枠
３６  框本体
３７  端部キャップ
５１，５１’  固定部
５２  第１係合部
５３  係合凹部
６１  可動部材
６２  固定部材
６３  第２係合部
６４  操作部
６５  長穴
６５ａ  第２段部
６８  第１段部
【図１】
0004468317.tif 000002
【図２】
0004468317.tif 000003
【図３】
0004468317.tif 000004
【図４】
0004468317.tif 000005
【図５】
0004468317.tif 000006
【図６】
0004468317.tif 000007
【図７】
0004468317.tif 000008
【図８】
0004468317.tif 000009
【図９】
0004468317.tif 000010